(57)【要約】本発明は、ゴルフナビゲーション端末およびこれを利用したゴルフナビゲーション装置に関する。ゴルフをする際に何時も気にしなければならないことの一つが点数を計算することである。本発明は、ゴルフプレーヤがプレーに専念することができるように自動的に点数を計算する。ゴルフプレーヤが本発明のゴルフナビゲーション端末をプレー中に腰に付着してプレーをすれば、このゴルフナビゲーション端末が自動的にプレーヤの状態を感知してゴルフナビゲーション装置に送り、ゴルフナビゲーション装置がゴルフ点数を計算する。以降、点数情報をゴルフナビゲーション端末に無線で通信して伝達する。そして、プレーヤの確認および修正により点数情報が確定する。このような本発明によれば、プレーヤはプレー途中に自己のスコアをゴルフナビゲーション端末にあるディスプレイを通じて見ることもでき、またゴルフナビゲーション本体で見ることもできる。【選択図】図３
2015531649.tif 000002
【特許請求の範囲】
【請求項１】
ゴルフクラブを用いてゴルフをするプレーヤの動きを取得してゴルフナビゲーション装置と通信するゴルフナビゲーション端末であって、
使用者の選択を入力されたり情報を表示するためのディスプレイパネルと、
前記プレーヤの位置、移動、動作またはゴルフボールの位置に関する情報を感知するための動作感知部と、
前記ゴルフナビゲーション装置と通信するための端末通信部と、
前記動作感知部の出力を受信して前記端末通信部を通じて前記ゴルフナビゲーション装置に送信し、前記ゴルフナビゲーション装置から前記プレーヤの点数情報が受信されると、受信された点数情報を前記ディスプレイパネルに表示し、前記プレーヤが確認または修正された情報を入力すると、前記修正された情報または確認情報を前記ゴルフナビゲーション装置に送信する端末制御部と、を含むことを特徴とする、ゴルフナビゲーション端末。
【請求項２】
前記動作感知部は、
ＧＰＳ衛星の信号を受信して自己の位置を計算して出力するＧＰＳ受信機と、
前記プレーヤが移動する時、または前記ゴルフクラブでゴルフボールを打撃する時に発生する振動を感知するための振動センサーと、
前記プレーヤの手の動作から発生する光の量の変化を感知するための光センサーと、
前記プレーヤが使用する前記ゴルフクラブの金属部分の動きを感知するための磁気センサーと、
前記プレーヤがゴルフボールを打撃する時に発生する声、または前記ゴルフボールがホールカップに入った時に発生する声を感知するための声センサーとのうちの少なくとも一つを含むことを特徴とする、請求項１に記載のゴルフナビゲーション端末。
【請求項３】
前記端末制御部は、
前記ＧＰＳ受信機、振動センサー、光センサー、磁気センサー、声センサの出力を受信して前記端末通信部を通じて前記ゴルフナビゲーション装置に送信し、前記ゴルフナビゲーション装置から前記プレーヤの点数情報が受信されると、受信された点数情報を前記ディスプレイパネルに表示し、前記プレーヤが確認または修正された情報を入力すると、前記修正された情報または確認情報を前記ゴルフナビゲーション装置に送信することを特徴とする、請求項２に記載のゴルフナビゲーション端末。
【請求項４】
前記ディスプレイパネルは、
情報を表示するディスプレー部と、
メニューを選択するためのメニューボタンスイッチと、
データ入力を確認する確認ボタンスイッチと、
前記点数情報を一段階の上に修正する上ボタンスイッチと、
前記点数情報を一段階の下に修正する下ボタンスイッチと、を含むことを特徴とする、請求項３に記載のゴルフナビゲーション端末。
【請求項５】
前記ディスプレイパネル、端末通信部、制御部および動作感知部に電源を供給するための電源供給部と、
電源の供給要否を選択するパワースイッチと、をさらに含むことを特徴とする、請求項４に記載のゴルフナビゲーション端末。
【請求項６】
前記動作感知部で受信された情報、前記確認情報または修正された情報を保存するためのメモリと、
前記メモリの情報を外部と送受信するための通信ポートと、
前記電源供給部を充電するための充電端子と、をさらに含むことを特徴とする、請求項５に記載のゴルフナビゲーション端末。
【請求項７】
ゴルフナビゲーション端末と通信するゴルフナビゲーション装置であって、
使用者の選択を入力されるタッチスクリーンと、
情報を表示するための表示部と、
前記ゴルフナビゲーション端末と通信するための通信部と、
前記通信部を通じてプレーヤの位置、移動、動作またはゴルフボールの位置に関する情報を受信し、前記受信された情報に対応する点数情報を生成して前記通信部を通じて前記ゴルフナビゲーション端末に送信し、前記ゴルフナビゲーション端末から確認情報または修正された点数情報が受信されると、前記受信された点数情報または確認された点数情報を前記表示部に表示する制御部と、を含むことを特徴とする、ゴルフナビゲーション装置。
【請求項８】
前記制御部は、
前記プレーヤが移動する時、前記ゴルフクラブでゴルフボールを打撃する時、または前記ゴルフボールがホールカップに入った時を判断して点数情報を生成することを特徴とする、請求項７に記載のゴルフナビゲーション装置。
【請求項９】
情報を保存するためのメモリをさらに含み、
前記制御部は、
前記点数情報を前記メモリに累積保存することを特徴とする、請求項８に記載のゴルフナビゲーション装置。
【請求項１０】
前記タッチスクリーン、前記表示部、通信部および制御部に電源を供給するための電源供給部と、
電源の供給要否を選択するパワースイッチと、をさらに含むことを特徴とする、請求項９に記載のゴルフナビゲーション装置。
【請求項１１】
前記メモリの情報を外部と送受信するための通信ポートと、
前記電源供給部を充電するための充電端子と、をさらに含むことを特徴とする、請求項１０に記載のゴルフナビゲーション装置。
【請求項１２】
前記メモリは、当該ゴルフ場の地図情報を追加的に保存し、前記制御部は、前記ゴルフ場の地図情報を追加的に参照して点数情報を生成することを特徴とする、請求項１１に記載のゴルフナビゲーション装置。
【請求項１３】
前記制御部は、少なくとも一つの視聴者端末に少なくとも一つのプレーヤの点数および競技現況を中継するサーバーに前記点数情報を送信することを特徴とする、請求項７に記載のゴルフナビゲーション装置。
【請求項１４】
ゴルフクラブを用いてゴルフをするプレーヤの動きを取得してゴルフナビゲーション装置と通信するゴルフナビゲーション端末であって、
使用者の選択を入力されたり情報を表示するためのディスプレイパネルと、
前記プレーヤの位置、移動、動作またはゴルフボールの位置に関する情報を感知するための動作感知部と、
前記ゴルフナビゲーション装置と通信するための端末通信部と、
前記動作感知部の出力を受信してプレーヤの位置、移動、動作またはゴルフボールの位置に関する情報を判断して点数情報を生成してディスプレイパネルに表示し、前記プレーヤが確認または修正された情報を入力すると、前記修正された情報または確認情報を前記ゴルフナビゲーション装置に送信する端末制御部と、を含むことを特徴とするゴルフナビゲーション端末。
【発明の詳細な説明】
【技術分野】
【０００１】
本発明は、ゴルフナビゲーション端末およびこれを利用したゴルフナビゲーション装置に関し、特に、ゴルファーの移動経路を表示したりゴルフ点数を計算して知らせるゴルフナビゲーション端末およびこれを利用したゴルフナビゲーション装置に関する。
【背景技術】
【０００２】
一般に人々は健康のために多様な運動を楽しむ。
【０００３】
その中でも、ゴルフは広く普及されたスポーツの一つである。
【０００４】
このようなゴルフは、点数を計算するルールがあり、キャディーまたはゴルファーがルールに基づいてゴルフ点数を計算するようになる。
【０００５】
しかし、このようなゴルフ点数を計算するのはゴルファーに多少厄介なことになり、しばしば誤って計算することもある。
【０００６】
そして、姿勢や競技のみに集中しなければならないが、点数計算を気にすれば競技が良好に行われないこともある。
【０００７】
しかし、現在まではゴルフ点数を自動的に計算する装置はない実情である。
【発明の概要】
【発明が解決しようとする課題】
【０００８】
本発明が解決しようとする課題は、従来の短所を解決するために、ゴルファーがゴルフ競技を行うと自動的に点数を計算して知らせるゴルフナビゲーション端末およびこれを利用したゴルフナビゲーション装置を提供することにある。
【０００９】
また、ゴルファーのゴルフ場での移動経路を表示するゴルフナビゲーション装置を提供することにある。
【課題を解決するための手段】
【００１０】
上記課題を解決するための本発明の特徴によるゴルフナビゲーション端末は、ゴルフクラブを用いてゴルフをするプレーヤの動きを取得してゴルフナビゲーション装置と通信するゴルフナビゲーション端末であって、使用者の選択を入力されたり情報を表示するためのディスプレイパネルと、前記プレーヤの位置、移動、動作またはゴルフボールの位置に関する情報を感知するための動作感知部と、前記ゴルフナビゲーション装置と通信するための端末通信部と、前記動作感知部の出力を受信して前記端末通信部を通じて前記ゴルフナビゲーション装置に送信し、前記ゴルフナビゲーション装置から前記プレーヤの点数情報が受信されると、受信された点数情報を前記ディスプレイパネルに表示し、前記プレーヤが確認または修正された情報を入力すると、前記修正された情報または確認情報を前記ゴルフナビゲーション装置に送信する端末制御部と、を含む。
【００１１】
前記動作感知部は、ＧＰＳ衛星の信号を受信して自己の位置を計算して出力するＧＰＳ受信機と、前記プレーヤが移動する時、または前記ゴルフクラブでゴルフボールを打撃する時に発生する振動を感知するための振動センサーと、前記プレーヤの手の動作から発生する光の量の変化を感知するための光センサーと、前記プレーヤが使用する前記ゴルフクラブの金属部分の動きを感知するための磁気センサーと、前記プレーヤがゴルフボールを打撃する時に発生する声、または前記ゴルフボールがホールカップに入った時に発生する声を感知するための声センサーとのうちの少なくとも一つを含む。
【００１２】
前記端末制御部は、前記ＧＰＳ受信機、振動センサー、光センサー、磁気センサー、声センサの出力を受信して前記端末通信部を通じて前記ゴルフナビゲーション装置に送信し、前記ゴルフナビゲーション装置から前記プレーヤの点数情報が受信されると、受信された点数情報を前記ディスプレイパネルに表示し、前記プレーヤが確認または修正された情報を入力すると、前記修正された情報または確認情報を前記ゴルフナビゲーション装置に送信する。
【００１３】
前記ディスプレイパネルは、情報を表示するディスプレー部と、メニューを選択するためのメニューボタンスイッチと、データ入力を確認する確認ボタンスイッチと、前記点数情報を一段階の上に修正する上ボタンスイッチと、前記点数情報を一段階の下に修正する下ボタンスイッチと、を含む。
【００１４】
前記ゴルフナビゲーション端末は、前記ディスプレイパネル、端末通信部、制御部および動作感知部に電源を供給するための電源供給部と、電源の供給要否を選択するパワースイッチと、をさらに含む。
【００１５】
前記ゴルフナビゲーション端末は、前記動作感知部で受信された情報、前記確認情報または修正された情報を保存するためのメモリと、前記メモリの情報を外部と送受信するための通信ポートと、前記電源供給部を充電するための充電端子と、をさらに含む。
【００１６】
上記課題を解決するための本発明の他の特徴によるゴルフナビゲーション端末は、ゴルフクラブを用いてゴルフをするプレーヤの動きを取得してゴルフナビゲーション装置と通信するゴルフナビゲーション端末であって、使用者の選択を入力されたり情報を表示するためのディスプレイパネルと、前記プレーヤの位置、移動、動作またはゴルフボールの位置に関する情報を感知するための動作感知部と、前記ゴルフナビゲーション装置と通信するための端末通信部と、前記動作感知部の出力を受信してプレーヤの位置、移動、動作またはゴルフボールの位置に関する情報を判断して点数情報を生成してディスプレイパネルに表示し、前記プレーヤが確認または修正された情報を入力すると、前記修正された情報または確認情報を前記ゴルフナビゲーション装置に送信する端末制御部と、を含む。
【００１７】
上記課題を解決するための本発明の特徴によるゴルフナビゲーション装置は、ゴルフナビゲーション端末と通信するゴルフナビゲーション装置であって、使用者の選択を入力されるタッチスクリーンと、情報を表示するための表示部と、前記ゴルフナビゲーション端末と通信するための通信部と、前記通信部を通じてプレーヤの位置、移動、動作またはゴルフボールの位置に関する情報を受信し、前記受信された情報に対応する点数情報を生成して前記通信部を通じて前記ゴルフナビゲーション端末に送信し、前記ゴルフナビゲーション端末から確認情報または修正された点数情報が受信されると、前記受信された点数情報または確認された点数情報を前記表示部に表示する制御部と、を含む。
【００１８】
前記制御部は、前記プレーヤが移動する時、前記ゴルフクラブでゴルフボールを打撃する時、または前記ゴルフボールがホールカップに入った時を判断して点数情報を生成することを特徴とする。
【００１９】
前記ゴルフナビゲーション装置は、情報を保存するためのメモリをさらに含み、前記制御部は、前記点数情報を前記メモリに累積保存することを特徴とする。
【００２０】
前記ゴルフナビゲーション装置は、前記タッチスクリーン、前記表示部、通信部および制御部に電源を供給するための電源供給部と、電源の供給要否を選択するパワースイッチと、をさらに含む。
【００２１】
前記ゴルフナビゲーション装置は、前記メモリの情報を外部と送受信するための通信ポートと、前記電源供給部を充電するための充電端子と、をさらに含む。
【００２２】
前記メモリは、当該ゴルフ場の地図情報を追加的に保存し、前記制御部は、前記ゴルフ場の地図情報を追加的に参照して点数情報を生成することを特徴とする。
【発明の効果】
【００２３】
本発明の実施形態では、従来の短所を解決するために、ゴルファーがゴルフ競技を行うと自動的に点数を計算して知らせるゴルフナビゲーション端末およびこれを利用したゴルフナビゲーション装置を提供することができる。
【００２４】
また、ゴルファーのゴルフ場での移動経路を表示するゴルフナビゲーション装置を提供することができる。
【図面の簡単な説明】
【００２５】
【図１】本発明の実施形態に係るゴルフナビゲーション端末の構成図である。
【図２】図１のディスプレイパネルの詳細構成図である。
【図３】本発明の実施形態に係るゴルフナビゲーション装置の構成図である。
【図４】本発明の実施形態に係るゴルフナビゲーション端末とゴルフナビゲーション装置間の通信を示した図面である。
【図５】本発明の実施形態に係るゴルフナビゲーション端末とスマートフォン間の通信を示した図面である。
【図６】本発明の実施形態に係るゴルフナビゲーション装置とサーバー間の通信を示した図面である。
【発明を実施するための形態】
【００２６】
以下、図面を参照して本発明の実施形態について本発明が属する技術分野における通常の知識を有する者が容易に実施することができるように詳しく説明する。しかし、本発明は多様な異なる形態に実現することができ、ここで説明する実施形態に限定されない。そして、図面において、本発明を明確に説明するために説明上不要な部分は省略し、明細書全体にわたって類似する部分については類似する図面符号を付した。
【００２７】
明細書全体において、ある部分がある構成要素を「含む」という時、これは特に反対の記載がない限り、他の構成要素を除くのではなく、他の構成要素をさらに含むことができることを意味する。また、明細書に記載された「…部」、「…器」、「モジュール」等の用語は少なくとも一つの機能がや動作を処理する単位を意味し、これはハードウェアやソフトウェアまたはハードウェアおよびソフトウェアの結合で実現され得る。
【００２８】
本発明の実施形態では、基本的にゴルフナビゲーション端末１００とゴルフナビゲーション装置２００を中心に説明し、ゴルフナビゲーション端末１００とゴルフナビゲーション装置２００は互いに無線で通信してデータのやりとりを行う。
【００２９】
図１は、本発明の実施形態に係るゴルフナビゲーション端末の構成図である。
【００３０】
図１を参照すれば、本発明の実施形態に係るゴルフナビゲーション端末は、ゴルフクラブを用いてゴルフをするプレーヤの動きを取得してゴルフナビゲーション装置と通信するゴルフナビゲーション端末１００であって、使用者の選択を入力されたり情報を表示するためのディスプレイパネル１０６と、前記プレーヤの位置、移動、動作またはゴルフボールの位置に関する情報を感知するための動作感知部１１７と、前記ゴルフナビゲーション装置と通信するための端末通信部１０７と、前記動作感知部１１７の出力を受信して前記端末通信部を通じて前記ゴルフナビゲーション装置に送信し、前記ゴルフナビゲーション装置から前記プレーヤの点数情報が受信されると、受信された点数情報を前記ディスプレイパネル１０６に表示し、前記プレーヤが確認または修正された情報を入力すると、前記修正された情報または確認情報を前記ゴルフナビゲーション装置に送信する端末制御部１１８とを含む。
【００３１】
そして、必要に応じて前記ゴルフナビゲーション端末１００は、前記ゴルフナビゲーション端末１００の各部に電源を供給するための電源供給部１１９と、電源の供給要否を選択するパワースイッチ１０８と、前記動作感知部で受信された情報、前記確認情報または修正された情報を保存するためのメモリ１１６と、前記メモリ１１６の情報を外部と送受信するための通信ポート１０９と、前記電源供給部１１９を充電するための充電端子１１０とをさらに含む。
【００３２】
前記動作感知部１１７は、ＧＰＳ衛星の信号を受信して自己の位置を計算して出力するＧＰＳ受信機１０１と、前記プレーヤが移動する時、または前記ゴルフクラブでゴルフボールを打撃する時に発生する振動を感知するための振動センサー１０２と、前記プレーヤの手の動作から発生する光の量の変化を感知するための光センサー１０３と、前記プレーヤが使用する前記ゴルフクラブの金属部分の動きを感知するための磁気センサー１０４と、前記プレーヤがゴルフボールを打撃する時に発生する声、または前記ゴルフボールがホールカップに入った時に発生する声を感知するための声センサー１０５とのうちの少なくとも一つを含む。
【００３３】
そして、前記端末制御部１１０は、マイクロコントローラーで実現可能であり、前記ＧＰＳ受信機１０１、振動センサー１０２、光センサー１０３、磁気センサー１０４、声センサー１０５の出力を受信して前記端末通信部１０７を通じて前記ゴルフナビゲーション装置に送信し、前記ゴルフナビゲーション装置から前記プレーヤの点数情報が受信されると、受信された点数情報を前記ディスプレイパネル１０６に表示し、前記プレーヤが確認または修正された情報を入力すると、前記修正された情報または確認情報を前記ゴルフナビゲーション装置に送信する。
【００３４】
図１に示されたようなゴルフナビゲーション端末１００は、ＧＰＳ受信機１０１、振動センサー１０２、光センサー１０３、磁気センサー１０４、声センサー１０５を用いてプレーヤの位置および動作をリアルタイムにモニターできるようになっている。ゴルフナビゲーション端末１００は、マイクロコントローラー基盤の端末制御部１１８で処理した情報を保存できるメモリ１１６を備えて、必要に応じてＲＦ  Ｍｏｄｕｌｅ形態の端末通信部１０７を通じて外部と無線通信を行うことができる。
【００３５】
ゴルフナビゲーション端末１００は、携帯用であり、電源供給部１１９を充電用バッテリーで実現し、バッテリーを充電できる充電端子１１０が外部に出ている。
【００３６】
そして、ゴルフナビゲーション端末１００には、メモリ１１６に保存された情報または内部で処理中の情報を外部にダウンロードできる通信ポート１０９が備えられており、ゴルフナビゲーション端末１００のゴルフ点数情報を外部ＰＣなどでも見たり保存することができる。
【００３７】
また、ゴルフナビゲーション端末１００には、パワースイッチ１０８が備えられており、使用しない際にはこのパワースイッチ１０８を消しておけばバッテリーを節約することができる。
【００３８】
そして、ゴルフナビゲーション端末１００には、ディスプレイパネル１０６があり、プレーヤがこれを用いて点数を確認したりまたは点数を訂正することもできる。
【００３９】
このようなディスプレイパネル１０６を詳しく説明する。
【００４０】
図２を参照すれば、ディスプレイパネル１０６は、情報を表示するディスプレー部１１１、メニューを選択するためのメニューボタンスイッチ１１２、データ入力を確認する確認ボタンスイッチ１１３、前記点数情報を一段階の上に修正する上ボタンスイッチ１１４、前記点数情報を一段階の下に修正する下ボタンスイッチ１１５とを含む。
【００４１】
ディスプレイパネル１０６は、ゴルフナビゲーション端末１００の側面に設置されてもよく、ディスプレー部１１１、ＭＥＮＵボタンスイッチ１１２、データ入力確認ボタンスイッチ１１３、上ボタンスイッチ１１４そして下ボタンスイッチ１１５が備えられており、プレーヤはこれらのボタンスイッチ１１２〜１１５を操作して必要な情報を読んだり点数またはデータを訂正することができる。
【００４２】
図３は、本発明の実施形態に係るゴルフナビゲーション装置の構成図である。
【００４３】
図３を参照すれば、本発明の実施形態に係るゴルフナビゲーション装置は、ゴルフナビゲーション端末と通信するゴルフナビゲーション装置であって、使用者の選択を受信するタッチスクリーン２０１と、情報を表示するための表示部２０６と、前記ゴルフナビゲーション端末１００と通信するための通信部２０２と、前記通信部２０２を通じてプレーヤの位置、移動、動作またはゴルフボールの位置に関する情報を受信し、前記受信された情報に対応する点数情報を生成して前記通信部２０２を通じて前記ゴルフナビゲーション端末１００に送信し、前記ゴルフナビゲーション端末１００から確認情報または修正された点数情報が受信されると、前記受信された点数情報または確認された点数情報を前記タッチスクリーン２０１に表示する制御部２０８とを含む。
【００４４】
前記制御部２０８は、前記プレーヤが移動する時、前記ゴルフクラブでゴルフボールを打撃する時、または前記ゴルフボールがホールカップに入った時を判断して点数情報を生成する。例えば、制御部２０８は、何回の打撃後にゴルフボールがホールカップに入ったかを判断して点数情報を生成する。そして、点数情報は打数または他の表現で生成されることもできる。
【００４５】
前記ゴルフナビゲーション装置２００は、情報を保存するためのメモリ２０７をさらに含むことができ、前記制御部２０８は、前記点数情報を前記メモリ２０７に累積保存する。
【００４６】
前記ナビゲーションゴルフ装置２００は、前記ナビゲーションゴルフ装置２００の各部に電源を供給するための電源供給部２０９と、電源の供給要否を選択するパワースイッチ２０３、前記メモリの情報を外部と送受信するための通信ポート２０４、前記電源供給部を充電するための充電端子２０５とをさらに含む。
【００４７】
ゴルフナビゲーション装置２００の制御部２０８は、マイクロコントローラーで実現可能であり、マイクロコントローラーが処理したデータを保存できるメモリ２０７が内蔵される。
【００４８】
そして、通信部２０２は、外部と無線で通信できるＲＦ  Ｍｏｄｕｌｅおよびアンテナを含む。
【００４９】
電源供給部２０９は、バッテリーが内蔵されており、充電端子２０５を通じて外部の充電器で充電が可能である。
【００５０】
タッチスクリーン２０１は、入力手段であり、必要に応じては他の入力手段で代替されてもよく、所望のメニューを選択することができる。例えば、外部のスマートフォンとの通信やその他機能を選択することができる。
【００５１】
図４は、ゴルフナビゲーション端末１００とゴルフナビゲーション装置２００が互いに無線で通信しながらデータのやりとりを行う状態を示す。
【００５２】
必要に応じて、ゴルフナビゲーション装置２００は、複数のゴルフナビゲーション端末１００と通信しながら点数情報を生成してそれぞれ送信することもできる。
【００５３】
以下、ゴルフナビゲーション端末１００とゴルフナビゲーション装置２００間の点数情報生成動作について詳しく説明する。
【００５４】
まず、プレーヤはゴルフナビゲーション端末１００を腰に付着する。腰に付着する方法は多様になり得る。例えば、ゴルフナビゲーション端末１００をベルトに脱着可能にすることもでき、ゴルフナビゲーション端末１００をベルトのバックル（Ｂｕｃｋｌｅ）の一部分として製作することもできる。
【００５５】
また、ゴルフナビゲーション端末１００を挿入できるポケットをベルトに付着してゴルフナビゲーション端末１００を入れたり取り出すことができるようにするなど多様な方法があり得るが、このような方法は一般によく知られた技術であるため、ここではその具体的な説明を省略する。
【００５６】
ゴルフナビゲーション端末１００にはＧＰＳ受信機１０１があり、プレーヤの位置がリアルタイムに計算され、プレイオの位置は端末制御部１１８の制御を通じて端末通信部１０７を経てゴルフナビゲーション装置２００に無線で伝達される。
【００５７】
そうすると、ゴルフナビゲーション装置２００は、メモリ２０７に保存された当該ゴルフ場のデジタル電子地図にプレーヤの位置を表示する。また、プレーヤが移動すると、この移動情報はリアルタイムまたは周期的にゴルフナビゲーション装置２００に伝達され、ゴルフナビゲーション装置２００は、プレーヤの移動距離を計算すると同時にプレーヤの位置移動を地図上にリアルタイムまたは周期的に表示する。
【００５８】
ゴルフナビゲーション端末１００の振動センサー１０２は、プレーヤの移動およびゴルフプレーヤがクラブでボールを打撃する時に発生する振動を感知し、光センサー１０３は、プレーヤの手の動作から発生する光の量の変化を感知し、磁気センサー１０４は、プレーヤが使用するクラブの金属部分の動きを感知し、声センサー１０５は、プレーヤがボールを打撃する時に発生する声、ボールがホールカップに入る時に発生する声などを感知する。
【００５９】
端末制御部１１８は、動作感知部１１７の感知データを用いて一次的に打撃の有無などに対するデータを計算してゴルフナビゲーション装置２００に送信する。必要に応じては、計算の便宜上、感知データをそのまま送信する。
【００６０】
そうすると、ゴルフナビゲーション装置２００は、受信された感知データまたは打撃情報とゴルフ場のデジタル電子地図情報などを総合してプレーヤの打数を計算して通信部２０２を通じて無線でゴルフナビゲーション端末１００に送信する。
【００６１】
そうすると、ゴルフナビゲーション端末１００の端末制御部１１８は、端末通信部１０７を通じて受信された点数情報をディスプレー部１１１に表示する。
【００６２】
次に、プレーヤはこの点数情報を確認して正しい場合、データ入力確認ボタンスイッチ１１３を押して確認する。そうすると、端末制御部１１８がゴルフナビゲーション装置２００に点数確認データを伝送して点数を確定する。また、プレーヤがデータ入力確認ボタンスイッチ１１３を押さずに次のホールに進行すると、ゴルフナビゲーション本体２００の制御部２０８は自己が伝送した点数が正しいと見なしてその点数を確定する。
【００６３】
一方、ゴルフナビゲーション端末１００のディスプレー部１１１に表示された点数が正しくない場合、プレーヤはディスプレイパネル１０６の上ボタンスイッチ１１４および下ボタンスイッチ１１５を操作して点数を訂正し、確認スイッチ１１３を押す。この時、端末制御部１１８は、点数訂正が容易に行われるように訂正された点数をディスプレー部１１１に表示する。
【００６４】
以降、端末制御部１１８は、訂正された点数をゴルフナビゲーション装置２００に送り、ゴルフナビゲーション装置２００の制御部２０８は、訂正された点数のとおりメモリ２０７に点数を訂正し、確認のために訂正された点数をゴルフナビゲーション端末１００に送る。ここで、必要に応じては、点数情報は現在のホールでの打数と累積した打数情報がそれぞれ表示されることもでき、二つのうちの一つの点数情報が表示されることもできる。
【００６５】
必要に応じて、ゴルフナビゲーション端末１００には点数計算の確率を高めるためにＧＰＳ受信機１０１、振動センサー１０２、光センサー１０３、磁気センサー１０４そして声センサー１０５で感知された信号を受けてボールのインパクトを判断できるアルゴリズムを端末制御部１１８に適用して、ボールの位置、飛距離、ボールの打撃の有無などを把握して点数を計算することができる。このように計算されたデータはゴルフナビゲーション装置２００に送られ、ゴルフナビゲーション装置２００はこのデータを受けてゴルフナビゲーション本体２００にあるゴルフ場のデジタル地図データと総合的に計算して点数を検算する。
【００６６】
その後、検算された点数情報はゴルフナビゲーション端末１００に送信されてプレーヤの確認を経て点数情報として保存される。
【００６７】
ゴルフナビゲーション端末１００は、ゴルフナビゲーション装置２００と無線で通信するが、もし距離などの問題があって通信が困難な場合には、ゴルフナビゲーション端末１００の端末制御部１１８は自体のメモリ１１６に点数計算データを保存し、ゴルフナビゲーション装置２００と通信が再開されるとメモリ１１８に保存されたデータをゴルフナビゲーション装置２００に送る。
【００６８】
そして、ゴルフナビゲーション装置２００には通信ポート２０４があり、ゴルフナビゲーション装置２００内部のデータをＰＣ、スマートフォンなどに移動させることができる。また、この通信ポート２０４を用いてゴルフ場のデジタル地図のアップデートなどプログラムをアップデートすることができる。
【００６９】
図５は、ゴルフナビゲーション端末１００がスマートフォン３００と無線通信しながらスマートフォン３００のアプリケーションを活用してプレーヤの点数データなどをスマートフォン３００を通じて見ることを示す。
【００７０】
そして、必要に応じては、ゴルフナビゲーション本体２００がスマートフォン３００と無線通信しながらスマートフォン３００のアプリケーションを活用してプレーヤの点数データなどをスマートフォン３００を通じて見るようにすることもできる。
【００７１】
このようにゴルフナビゲーション端末１００またはゴルフナビゲーション本体２００は、スマートフォンと連動して情報を共有することができるため、ゴルフのラウンディング時に非常に有用に用いることができる。
【００７２】
図６は、本発明の実施形態に係るゴルフナビゲーション装置とサーバー間の通信を示した図面である。
【００７３】
図６を参照すれば、ナビゲーション装置２００からの点数情報がサーバー４００に伝送され、サーバー４００には全世界の会員情報と全世界のゴルフ場の３Ｄ地図が保存されている。そして、サーバー４００は、移動通信網またはインターネット網を含むネットワーク網に連結されており、会員から申請を受けて少なくとも一人のプレーヤのゴルフ競技中にゴルフ点数情報をリアルタイム中継され得る。つまり、プレーヤまたは視聴者は、サーバー４００に接続して予め点数を知りたい選手をセッティングすると、サーバー４００が視聴者のスマートフォンやＰＣ画面にゴルフ場の地図および選手の位置を表示しつつ点数まで知らせることができ、これによって、視聴者は非常に便利に試合を視聴することができる。
【００７４】
必要に応じては、単純地図でない３Ｄ地図を結合していきいきとした実際の画面と類似する画面を視聴することもできる。
【００７５】
このような本発明の実施形態では、選手がラウンディングしながら自己の点数または他人の点数をリアルタイムに見ることができるため、便利にゴルフを楽しむことができる。
【００７６】
そして、必要に応じては、ゴルフナビゲーション端末１００でゴルフナビゲーション装置２００の機能を全て行うこともできる。つまり、一つのゴルフナビゲーション端末１００でゴルフ点数情報を生成して提供することもできる。この場合、端末制御部は動作感知部の出力を受信してプレーヤの位置、移動、動作またはゴルフボールの位置に関する情報を判断して点数情報を生成してディスプレイパネルに表示し、前記プレーヤが確認または修正された情報を入力すると、前記修正された情報または確認情報を前記ゴルフナビゲーション装置に送信すれば良い。
【００７７】
その他にも本発明の実施形態は多様な変形が可能であり、ナビゲーション端末１００だけでも実現が可能であり、周辺のスマートフォンと連動したゴルフ点数情報案内が可能である。
【００７８】
以上で説明した本発明の実施形態は、装置および方法のみを通じて実現されるのではなく、本発明の実施形態の構成に対応する機能を実現するプログラムまたはそのプログラムが記録された記録媒体を通じて実現されることもでき、このような実現は上述した実施形態の記載から、本発明が属する技術分野における専門家であれば簡単に実現できるものである。
【００７９】
以上で、本発明の実施形態について詳細に説明したが、本発明の権利範囲はこれに限定されず、特許請求の範囲で定義している本発明の基本概念を利用した当業者の多様な変形および改良形態も本発明の権利範囲に属する。
【符号の説明】
【００８０】
２００…ゴルフナビゲーション装置
２０１…タッチスクリーン
２０２…通信部
２０３…パワースイッチ
２０４…通信ポート
２０５…充電端子
２０６…表示部
２０７…メモリ
２０８…制御部
２０９…電源供給部
【図１】
2015531649.tif 000003
【図２】
2015531649.tif 000004
【図３】
2015531649.tif 000005
【図４】
2015531649.tif 000006
【図５】
2015531649.tif 000007
【図６】
2015531649.tif 000008
【国際調査報告】
2015531649.tif 000009
2015531649.tif 000010
2015531649.tif 000011
2015531649.tif 000012